(57)【要約】【課題】  左右の列に非対称の負荷が作用する用途、例えば風力発電機主軸軸受装置等に適用される。その場合に、負荷に応じた適正な支持が各列で行えて、実質寿命を延長することができ、また材料、処理、または加工等に無駄のない経済的な自動調心ころ軸受を提供する。【解決手段】  この自動調心ころ軸受１は、複列であって、軸受１の全体を、左右の列毎の軸受分割体１Ａ，１Ｂに分割する。左右の軸受分割体１Ａ，１Ｂにおける負荷または寿命に関係する構成要素を互いに異ならせる。左右の軸受分割体１Ａ，１Ｂの形状および寸法は、互いに同じであっても良い。左右の軸受分割体１Ａ，１Ｂにおいて、互い二個とならせる負荷または寿命に関係する構成要素は、材質、表面改質処理、および表面粗さのいずれかであり、そのうちの一つまたは複数が異なるものとする。この他に、左右の軸受分割体１Ａ，１Ｂの寸法を異ならせても良い。【選択図】        図１
2005207517.tif 000002
【特許請求の範囲】
【請求項１】
内輪と外輪との間に複列にころを介在させ、上記外輪の軌道面を球面状とし、上記ころの外周面を上記外輪の軌道面に沿う形状とした複列の自動調心ころ軸受において、
軸受の全体を、それぞれ分割内輪、分割外輪、および単列のころを有する左右の列毎の軸受分割体に分割し、左右の軸受分割体における負荷または寿命に関係する構成要素を互いに異ならせたことを特徴とする自動調心ころ軸受。
【請求項２】
請求項１において、左右の列の軸受分割体の相互間で互いに異ならせる負荷または寿命に関係する構成要素の一つが、分割内輪、分割外輪、およびころのうちの少なくとも一つの材質である自動調心ころ軸受。
【請求項３】
請求項１または請求項２において、左右の列の軸受分割体の相互間で互いに異ならせる負荷または寿命に関係する構成要素の一つが、分割内輪、分割外輪、およびころのうちの少なくとも一つの軌道面またはころ転動面の表面改質処理である自動調心ころ軸受。
【請求項４】
請求項１ないし請求項３のいずれか１項において、左右の列の軸受分割体の相互間で互いに異ならせる負荷または寿命に関係する構成要素の一つが、分割内輪、分割外輪、およびころのうちの少なくとも一つの軌道面またはころ転動面の表面粗さである自動調心ころ軸受。
【請求項５】
請求項１ないし請求項４のいずれか１項において、左右の列の軸受分割体およびそのころの寸法を互いに同じとした自動調心ころ軸受。
【請求項６】
請求項１ないし請求項４のいずれか１項において、互いに異ならせる負荷または寿命に関係する構成要素の一つが、左右の軸受分割体の内外輪の軸方向寸法、およびころの軸方向寸法である自動調心ころ軸受。
【請求項７】
請求項１ないし請求項６のいずれか１項に記載の自動調心ころ軸受において、２つの分割外輪の間に隙間を設け、これら分割外輪間に予圧を負荷した複列自動調心ころ軸受。
【請求項８】
単列の自動調心ころ軸受を軸方向に２個並べて設けてなり、両側の単列自動調心ころ軸受における負荷または寿命に関係する構成要素を互いに異ならせたことを特徴とする自動調心ころ軸受組。
【請求項９】
請求項１ないし請求項７のいずれか１項に記載の自動調心ころ軸受であって、風力発電機のブレードが取付けられた主軸を支持する主軸支持軸受として使用されるものである自動調心ころ軸受。
【請求項１０】
ブレードが取付けられた主軸を、ハウジングに設置された１個または複数の軸受により支持し、上記いずれか一個または複数の軸受を、請求項１ないし請求項７のいずれかに記載の自動調心ころ軸受とし、この自動調心ころ軸受における上記ブレードから遠い方の列の軸受分割体を、近い方の軸受部分よりも、負荷容量が大きいもの、または定格寿命が長いものとした風力発電機主軸支持装置。
【発明の詳細な説明】
【技術分野】
【０００１】
この発明は、両列に不均等な荷重が負荷される用途、例えば風力発電機の主軸を支持する軸受等に適用される複列自動調心ころ軸受、およびそれを備えた風力発電機主軸支持装置に関する。
【背景技術】
【０００２】
大型の風力発電機における主軸用軸受には、図８に示すような大型の複列自動調心ころ軸受５１が用いられることが多い。主軸５０は、ブレード４９が取付けられた軸であり、風力を受けることによって回転し、その回転を増速機（図示せず）で増速して発電機を回転させ、発電する。
【０００３】
風を受けて発電している際に、ブレード４９を支える主軸５０は、ブレード４９にかかる風力による軸方向荷重（軸受スラスト荷重）と、径方向荷重（軸受ラジアル荷重）が負荷される。複列自動調心ころ軸受５１は、ラジアル荷重とフラスト荷重を同時に負荷することができ、かつ調心性を持つため、軸受ハウジング４８の精度誤差や、取付誤差による主軸５０の傾きを吸収でき、かつ運転中の主軸５０の撓みを吸収できる。そのため、風力発電機主軸用軸受に適した軸受であり、利用されている（例えば、非特許文献１）。
【非特許文献１】ＮＴＮ社カタログ「新世代風車用軸受」Ａ６５．ＣＡＴ．Ｎｏ．８４０４／０４／ＪＥ、２００３年５月１日発行
【発明の開示】
【発明が解決しようとする課題】
【０００４】
しかしながら、風車においては、ラジアル荷重と一方向のスラスト荷重が大きく、複列のころ５４，５５のうち、スラスト荷重を受ける列のころ５４が、もっぱらラジアル荷重とスラスト荷重を同時に負荷されることになる。そのため、転がり疲労寿命が短くなる。加えて、反対側の列では軽負荷となり、ころ５５が内外輪５２，５３の軌道面５２ａ，５３ａで滑りを生じ、表面損傷や摩耗を生じるという問題がある。そのため、軸受サイズが大きなものを用いたり、油潤滑など潤滑性を高めることで対処されるが、軽負荷側では余裕が大きくなり過ぎて、不経済である。また、無人で運転されたり、ブレード４９が大型となるために高所に設置される風力発電機主軸用軸受では、メンテナンスフリー等のために、潤滑面でも簡易なものとすることが望まれる。
【０００５】
この発明の目的は、左右の列に非対称の負荷が作用する用途に用いられた場合に、負荷に応じた適正な支持が各列で行えて、実質寿命を延長することができ、また材料、処理、または加工等に無駄のない経済的な自動調心ころ軸受を提供することである。
【課題を解決するための手段】
【０００６】
この発明の自動調心ころ軸受は、内輪と外輪との間に複列にころを介在させ、上記外輪の軌道面を球面状とし、上記ころの外周面を上記外輪の軌道面に沿う形状とした複列の自動調心ころ軸受において、軸受の全体を、それぞれ分割内輪、分割外輪、および単列のころを有する左右の列毎の軸受分割体に分割し、左右の軸受分割体における負荷または寿命に関係する構成要素を互いに異ならせたことを特徴とする。
【０００７】
このように、左右の列の軸受分割体における負荷または寿命に関係する構成要素を互いに異ならせると、左右の列に非対称の負荷が作用する用途に用いられた場合に、負荷に応じた適正な支持が各列で行える。これにより、軽負荷側の列で、負荷容量や定格寿命の余裕が大きくなり過ぎて材料や改質処理，加工等の無駄が生じることが防止できる。軸受を左右の軸受分割体に分割するため、このような左右の列で互いに負荷または寿命に関係する構成要素を異ならせることが簡単に行える。また、重負荷側の軸受分割体のみに、負荷容量，寿命を高めるための措置を施したものとすれば良いため、軸受の全体にこれらの措置を施す場合に比べて製造コストが低減される。
【０００８】
この発明において、左右の列の軸受分割体の相互間で互いに異ならせる負荷または寿命に関係する構成要素としては、材質、表面改質処理、および表面粗さのいずれか一つまたは複数であっても良い。
【０００９】
これら材質、表面改質処理、および表面粗さのいずれかを異ならせる場合に、分割内輪、分割外輪、およびころのうちの少なくとも一つについて異ならせる。表面改質処理および表面粗さについては、分割内輪および分割外輪の場合は軌道面、ころの場合は転動面について、表面改質処理または表面粗さを異ならせる。
【００１０】
材質を異ならせる場合、例えば軽負荷側を通常の軸受に用いられる高炭素クロム鋼とし、重負荷側を浸炭材等とする。軽負荷側は通常の高炭素クロム鋼等を用いることで、材料コストが安くて済む。
表面改質処理としては、表面硬度を高める処理、例えば窒化処理等があり、重負荷側のみに処理を施す。軽負荷側は表面改質処理を省くことで、コスト低下が図れる。
表面粗さについては、重負荷側の表面粗さを小さくする。表面粗さが小さくなると、潤滑性が向上し、長寿命となる。軽負荷側は、表面粗さを軸受の標準程度とすることで、加工コストが軽減される。
【００１１】
この発明において、左右の列の軸受分割体は、互いに寸法が同じであっても良い。すなわち、左右の列の軸受分割体の相互間で、分割内輪、分割外輪、およびころの寸法が同じであっても良い。左右の列の軸受分割体の寸法が同じであっても、上記のように材質、表面改質処理、および表面粗さ等のいずれか一つが異なっておれば、負荷に応じた適正な支持が各列で行えて、実質寿命を延長することができる。
【００１２】
この発明において、左右の列の軸受分割体の相互間で互いに異ならせる負荷または寿命に関係する構成要素の一つとして、左右の軸受分割体の軸方向寸法、およびころの軸方向寸法を異ならせても良い。
左右の列のころの軸方向寸法を異ならせると、左右の列の負荷容量が変わる。この場合は、負荷に応じた適正な支持が各列で行える。これにより、軽負荷側の列で、負荷容量や寿命の余裕が大きくなり過ぎて材料等の無駄が生じることが防止できるだけでなく、軽負荷のために生じるころの滑りが発生し難くなり、総合的に軸受の実質寿命が向上する。
軸受を分割構造とするため、各列の分割内輪や分割外輪を個々に製造すれば良いため、非対称の自動調心ころ軸受が容易に製造できる。
【００１３】
左右の軸受分割体の軸方向寸法を異ならせた場合も、さらに、互いに異ならせる負荷または寿命に関係する構成要素として、材質、軌道面またはころ表面の表面改質処理、軌道面またはころ転動面の表面粗さのいずれか一つ以上を異ならせても良い。
【００１４】
この発明の上記各構成の自動調心ころ軸受は、２つの分割外輪の間に隙間を設け、これら分割外輪間に予圧を負荷しても良い。予圧は、軽負荷ころ列の側から負荷することが好ましい。
このように予圧を負荷することにより、ころの滑りを積極的に抑制することができる。したがって軸受分割構造として製造の容易を図りながら、上記滑りの抑制が得られる。
【００１５】
この発明の自動調心ころ軸受組は、単列の自動調心ころ軸受を軸方向に２個並べて設けてなり、両側の単列自動調心ころ軸受における負荷または寿命に関係する構成要素を互いに異ならせたものである。
この発明の上記各例のような２つの軸受分割体を合わせて一つの軸受としたものの代わりに、単独で機能する単列の自動調心ころ軸受を２個並べて設け、その２個の単列自動調心ころ軸受を、負荷または寿命に関係する構成要素が互いに異ならるものとしても良い。この構成の場合も、左右の列の非対称負荷に対して、負荷に応じた適正な支持が各列で行えて、実質寿命を延長することができ、また材料に無駄のない経済的なものにできるという効果が得られる。
【００１６】
この発明における上記各構成の複列自動調心ころ軸受は、いずれも、風力発電機のブレードが取付けられた主軸を支持する主軸支持軸受として使用されるものであっても良い。  風力発電機の主軸支持軸受は、主軸に取付けられたブレードに作用する風圧で、上記のように片方の列にスラスト荷重が偏って作用するため、この発明における材料、表面改質処理、表面粗さ、寸法等が左右非対称の複列自動調心ころ軸受の効果が有効に発揮され、実質軸受寿命の向上効果が得られる。
【００１７】
この発明の風力発電機主軸支持装置は、ブレードが取付けられた主軸を、ハウジングに設置された１個または複数の軸受により支持し、上記いずれか一個または複数の軸受を、この発明における上記のいずれかの構成の複列自動調心ころ軸受としたものである。その場合に、上記ブレードから遠い方の列の軸受部分を、近い方の軸受部分よりも負荷容量が大きいもの、または定格寿命が長いものとする。
この構成とすることで、主軸支持軸受となる複列自動調心ころ軸受の実質軸受寿命の向上効果が得られる。
【発明の効果】
【００１８】
この発明の自動調心ころ軸受は、複列軸受の全体を左右の列毎の軸受分割体に分割し、左右の軸受分割体における負荷または寿命に関係する構成要素を互いに異ならせたものであるため、左右の列に非対称の負荷が作用する用途に用いられた場合に、負荷に応じた適正な支持が各列で行えて、実質寿命を延長することができ、また材料、表面改質処理、または加工に無駄のない経済的なものとなる。特に、風力発電機の主軸支持軸に適用した場合は、その風力で主軸に作用する特性に応じた適正な支持が行えて、実質寿命の延長効果が高い。
【発明を実施するための最良の形態】
【００１９】
この発明の第１の実施形態を図１，図２と共に説明する。この自動調心ころ軸受１は、複列の自動調心ころ軸受であって、軸受１の全体を、左右の列毎の軸受分割体１Ａ，１Ｂに分割し、左右の軸受分割体１Ａ，１Ｂにおける負荷または寿命に関係する構成要素を互いに異ならせたものである。
【００２０】
この自動調心ころ軸受１は、内輪２と外輪３との間に複列にころ４を介在させ、外輪３の軌道面３ａを球面状とし、ころ４の外周面を外輪３の軌道面に沿う形状とした複列の軸受である。内輪２および外輪３は、左右の分割内輪２Ａ，２Ｂ、および分割外輪３Ａ，３Ｂにそれぞれ分割されており、上記各軸受分割体１Ａ，１Ｂは、それぞれ分割内輪２Ａ，２Ｂ、分割外輪３Ａ，３Ｂ、および単列のころ４を有する。各列のころ４は、それぞれの軸受分割体１Ａ，１Ｂに設けられた環状の保持器５のポケット５ａ内に保持されている。内輪２は、両端、および両列のころ４の間に鍔２ｂ，２ｃを有するものであり、中央の鍔２ｃは、各分割内輪２Ａ，２Ｂに設けられた分割鍔２ｃａ，２ｃｂが合わさって構成されている。
【００２１】
左右の軸受分割体１Ａ，１Ｂの形状および寸法は、この実施形態では、互いに同じものとされている。左右の軸受分割体１Ａ，１Ｂにおいて、互いに異ならせる負荷または寿命に関係する構成要素は、材質、表面改質処理、および表面粗さのいずれかであり、そのうちの一つまたは複数が異なるものとされる。
【００２２】
これら材質、表面改質処理、および表面粗さのいずれかを異ならせる場合に、分割内輪２Ａ，２Ｂ、分割外輪３Ａ，３Ｂ、およびころ４のうちの少なくとも一つについて異ならせる。表面改質処理および表面粗さについては、分割内輪２Ａ，２Ｂおよび分割外輪３Ａ，３Ｂの場合は軌道面２ａ，３ａ、ころ４の場合は外周面からなる転動面について、表面改質処理または表面粗さを変える。どの部位について変えるかの組み合わせは自在であり、例えば、分割内輪２Ａ，２Ｂと分割外輪３Ａ，３Ｂとについて、材質、表面改質処理、および表面粗さのいずかを異ならせて、ころ４は左右の列で同じとしても良く、また内輪２Ａ，２Ｂ、分割外輪３Ａ，３Ｂ、およびころ４の全てについて、材質、表面改質処理、および表面粗さのいずれかを異ならせても良い。
【００２３】
材質を異ならせる場合、軽負荷側は、軸受として一般に用いられる安価な材料、例えば高炭素クロム鋼（ＪＩＳ規格のＳＵＪ材）を用いる。重負荷側には、硬度または転がり疲労寿命が軽負荷側よりも優れた材質を用いる。軽負荷側が高炭素クロム鋼である場合、重負荷側は、例えば高清浄度鋼（ＶＰ材）や、高速度鋼（Ｍ５０材）、または次の各鋼材(1),(2) を等を用いる。これらの材質は、内輪２、外輪３、およびころ４のいずれについても適用できる。
【００２４】
上記鋼材(1),(2) は、いずれも特開２０００−２０４４４４号公報に開示されたものであり、異物混入環境下や高温環境下においても、優れた転動疲労寿命を有する。
鋼材(1) の成分は、合金元素の含有量が質量％で、Ｃを０．６％以上１．３％以下、Ｓｉを０．３％以上３．０％以下、Ｍｎを０．２％以上１．５％以下、Ｐを０．０３％以下、Ｓを０．０３％以下、Ｃｒを０．３％以上５．０％以下、Ｎｉを０．１％以上３．０％以下、Ａｌを０．０５０％以下、Ｔｉを０．００３％以下、Ｏを０．００１５％以下、Ｎを０．０１５％以下含み、残部がＦｅおよび不可避不純物からなる。この鋼材(1) は、焼入れ処理後または浸炭窒化処理後に焼戻し処理された構成を有し、かつ前記焼戻し処理後の硬さがＨＲＣ５８以上であり、かつ最大の炭化物寸法が８μｍ以下であることが好ましい。前記鋼材(1) は、質量％で、０．０５％以上０．２５％未満のＭｏおよび０．０５％以上１．０％以下のＶの少なくとも一種をさらに含んでいるものであっても良い。
【００２５】
鋼材(2) の成分は、合金元素の含有量が質量％で、Ｃを０．６％以上１．３％以下、Ｓｉを０．３％以上３．０％以下、Ｍｎを０．２％以上１．５％以下、Ｐを０．０３％以下、Ｓを０．０３％以下、Ｃｒを０．３％以上５．０％以下、Ｎｉを０．１％以上３．０％以下、Ａｌを０．０５０％以下、Ｔｉを０．００３％以下、Ｏを０．００１５％以下、Ｎを０．０１５％以下で各元素を少なくとも含み、残部がＦｅからなる。この鋼材(2) は、焼入れ処理後または浸炭窒化処理後に焼戻し処理された構成を有し、かつ前記焼戻し処理後の硬さがＨＲＣ５８以上であり、かつ最大の炭化物寸法が８μｍ以下であることが好ましい。
【００２６】
表面改質処理を異ならせる場合、例えば、軽負荷側は一般的な焼入れ等の熱処理を施したものとするか、あるいは特に表面処理を施さないものとする。重負荷側は、軽負荷側よりも表面硬度を高めるための表面改質処理を施す。表面硬度を高めるための処理としては、窒化処理、ショットピーニング、ダイヤモンドカーボン処理（ＤＬＣ処理）等が採用できる。ショットピーニングは、熱処理後に行われるが、圧縮残留応力を与えることで硬度を高めることができる。
【００２７】
表面粗さを異ならせる場合、軽負荷側は、例えばＲａ０．２〜０．２５程度とし、重負荷側はＲａ０．１６以下、好ましくは、Ｒａ０．１０以下、またはＲａ０．０５以下とする。Ｒａ０．１０〜０．１３、またはＲａ０．１３〜０．１６の程度であっても良い。この表面粗さの範囲は、重負荷側の分割内輪２Ｂ，分割外輪３Ｂの軌道面、およびころ４の転動面のいずれについても適用できる。表面粗さを小さくすると、加工に手間がかかるが、潤滑性が良くなり、耐久性が向上する。
【００２８】
両分割外輪３Ａ，３Ｂは、自然状態、つまり両分割外輪３Ａ，３Ｂの球面状の軌道面３ａが同じ球面上に位置する状態で、互いの間に隙間ｄが生じるように設けられる。この自動調心ころ軸受１は、図２のように軸受ハウジング２０に設置した状態で、予圧付与手段２１によって、両側の分割外輪３Ａ，３Ｂの隙間ｄが狭まるように予圧が付与される。予圧付与手段２１には、ばね部材または締め付けねじ等が用いられる。ばね部材を用いる場合、例えば円周方向複数箇所に配置されて外輪３の端面に接する圧縮ばねとされる。予圧付与手段２１は、軽負荷側の外輪分割体３Ａから付与するようにすることが好ましい。このように予圧を与えるようにした場合、ころ４の滑りを積極的に抑制することができる。
【００２９】
上記構成の自動調心ころ軸受１によると、左右の列の軸受分割体１Ａ，１Ｂにおける負荷または寿命に関係する構成要素を互いに異ならせたため、左右の列に非対称の負荷が作用する用途に用いられた場合に、負荷に応じた適正な支持が各列で行える。これにより、軽負荷側の列で、負荷容量や定格寿命の余裕が大きくなり過ぎて材料や改質処理，加工等の無駄が生じることが防止できる。軸受１を左右の軸受分割体１Ａ，１Ｂに分割するため、このような左右の列で互いに負荷または寿命に関係する構成要素を異ならせることが簡単に行える。また、重負荷側の軸受分割体１Ｂのみに、特殊な材料や、表面改質処理、表面粗さの向上加工を行えば良いため、軸受１の全体にこれらの材料，表面改質処理、表面粗さ向上加工を行う場合に比べて製造コストが低減される。特に、後に示すような風力発電機の主軸支持軸に適用した場合は、その風力で主軸に作用する特性に応じた適正な支持が行えて、実質寿命の延長効果が高い。
【００３０】
図３は、この発明における他の実施形態を示す。この実施形態の自動調心ころ軸受１は、左右の列の軸受分割体１Ａ，１Ｂの間で互いに異ならせる負荷または寿命に関係する構成要素の一つを、左右の軸受分割体１Ａ，１Ｂの軸方向寸法、およびころ４の軸方向寸法としたものである。この例では、重負荷側の分割内輪２Ｂおよび分割外輪３Ｂの軸方向幅を、軽負荷側の分割内輪２Ａおよび分割外輪３Ａよりも長くし、かつ重負荷側のころ４の長さを、軽負荷側のころ４よりも長くしてある。これに伴い、左右の列の軸受分割体１Ａ，１Ｂは、互いに接触角θａ，θｂが異なるものとされている。この場合に、幅寸法の大きなころ４の列に対応する軸受分割体１Ｂの接触角θｂの方が、幅寸法の小さなころ４の列の軸受分割体１Ａの接触角θａよりも大きく設定されている。両列のころ４の外径は、例えば最大径が同じとされる。両列のころ４の外径は、互いに異なっていても良い。例えば、幅寸法の大きなころ４の方が、幅寸法の小さなころ４よりも外径が大きくされていても良い。
【００３１】
左右の軸受分割体１Ａ，１Ｂの材質、表面改質処理、および表面粗さについては、互いに同じとしても良く、また重負荷側の軸受分割体１Ｂにつき、上記実施形態と同じく軽負荷側の軸受分割体１Ａよりも優れたものとしてもよい。この実施形態における他の構成は、第１の実施形態と同じである。
【００３２】
この実施形態の場合、片方の列の軸受分割体１Ｂ列のころ４の幅寸法を大きくし、また接触角θｂを大きくしたため、スラスト負荷負荷能力が大きくなり、転がり疲労寿命が向上する。反対側の列は、接触角θａを小さくし、かつころ４の幅寸法を小さくしたため、ころ４と軌道面２ａ，３ａとの接触応力が大きくなり、かつころ４の自重が軽くなることで、滑りが軽減される。そのため、軽負荷でも、ころ４の滑りが生じ難く、表面損傷を生じ難い。これらの作用から、総合的に、風力発電機主軸支持軸受等となる複列自動調心ころ軸受１の実質寿命が向上する。左右の軸受分割体１Ａ，１Ｂの材質、表面改質処理、および表面粗さのいずれかを上記のように異ならせた場合は、さらに自動調心ころ軸受１の実質寿命が向上する。
【００３３】
また、自動調心ころ軸受１を２つの軸受分割体１Ａ，１Ｂに分割した構造としたため、このような左右非対象の自動調心ころ軸受１を簡単に製造することができ、また重負荷側の軸受分割体１Ｂだけを幅寸法の大きなものとすれば良いため、軸受全体を大寸法のものにする場合に比べて材料の無駄がなく、コスト低下が図れる。
【００３４】
なお、上記各実施形態は、いずれも、複列自動調心ころ軸受１を分割した構造のものとしたが、図４または図５に示すように、単列の自動調心ころ軸受１Ｃ，１Ｄを軸方向に２個並べて設けた自動調心ころ軸受組１０としても良い。この場合に、両側の単列の自動調心ころ軸受１Ｃ，１Ｄにおける負荷または寿命に関係する構成要素を互いに異ならせたものとする。両側の外輪３の軌道面３ａは、略同一の球面上に沿うものとする。
【００３５】
図４の実施形態は、両側の単列の自動調心ころ軸受１Ｃ，１Ｄを、相互間で寸法が互いに等しく、材質、表面改質処理、および表面粗さのいずれかを相互の間で異ならせたものである。材質、表面改質処理、および表面粗さをどのように異ならせるかは、図１，図２に示した第１の実施形態と同様である。
【００３６】
図５の実施形態は、両側の単列の自動調心ころ軸受１Ｃ，１Ｄを、相互間で内外輪２，３の軸方向寸法、およびころ４の軸方向寸法を互いに異ならせたものである。
【００３７】
この実施形態のように、単独で機能する単列の自動調心ころ軸受を２個並べて設け、その２個の単列自動調心ころ軸受１Ｃ，１Ｄを、負荷または寿命に関係する構成要素が互いに異なるものとしても、上記のような左右の列の非対称負荷に対して、負荷に応じた適正な支持が各列で行えて、実質寿命を延長することができ、また材料に無駄のない経済的なものにできるという効果が得られる。
【００３８】
図５，図６は、この発明の複列自動調心ころ軸受を用いた風力発電機主軸支持装置の一例を示す。支持台３１上に旋回座軸受３２（図７）を介してナセル３３のケーシング３３ａが水平旋回自在に設置されている。ナセル３３のケーシング３３ａ内には、軸受ハウジング３４に設置された主軸支持軸受３５を介して主軸３６が回転自在に設置され、主軸３６のケーシング３３ａ外に突出した部分に、旋回翼となるブレード３７が取付けらている。主軸３６の他端は、増速機３８に接続され、増速機３８の出力軸が発電機３９のロータ軸に結合されている。ナセル３３は、旋回用モータ４０により、減速機４１を介して任意の角度に旋回させられる。
【００３９】
主軸支持軸受３５は、図示の例では２個並べて設置してあるが、１個であっても良い。この主軸支持軸受３５に、上記のいずれかの実施形態における複列自動調心ころ軸受１が用いられる。
【００４０】
このように風力発電機の主軸支持軸受３５に、上記実施形態の複列自動調心ころ軸受１を適用した場合、ブレード３７に対して遠い方の列がスラスト荷重負荷列となる。そのため、このスラスト荷重負荷列側に、負荷容量の大きい、あるいは定格寿命の長い軸受分割体１Ｂが配置されるように複列自動調心ころ軸受１を設置する。
【００４１】
なお、上記主軸支持軸受３５として、図４，図５等に示す単列の自動調心ころ軸受１Ｃ，１Ｄを並べた自動調心ころ軸受組１０を用いても良い。
【図面の簡単な説明】
【００４２】
【図１】この発明の第１の実施形態にかかる自動調心ころ軸受の部分断面図である。
【図２】同自動調心ころ軸受の設置状態を示す部分断面図である。
【図３】この発明のさらに他の実施形態にかかる自動調心ころ軸受の部分断面図である。
【図４】この発明の一実施形態にかかる自動調心ころ軸受組の部分断面図である。
【図５】この発明の他の実施形態にかかる自動調心ころ軸受組の部分断面図である。
【図６】この発明の上記いずれかの自動調心ころ軸受を用いた風力発電機主軸支持装置の切欠斜視図である。
【図７】同風力発電機主軸支持装置の破断側面図である。
【図８】従来例の断面図である。
【符号の説明】
【００４３】
１，１Ｃ，１Ｄ…自動調心ころ軸受
１Ａ，１Ｂ…軸受分割体
２…内輪
２Ａ，２Ｂ…分割内輪
３…外輪
３Ａ，３Ｂ…分割外輪
２ａ，３ａ…軌道面
４…ころ
θａ，θｂ…接触角
１０…自動調心ころ軸受組
３５…主軸支持軸受
３６…主軸
３７…ブレード
【図１】
2005207517.tif 000003
【図２】
2005207517.tif 000004
【図３】
2005207517.tif 000005
【図４】
2005207517.tif 000006
【図５】
2005207517.tif 000007
【図６】
2005207517.tif 000008
【図７】
2005207517.tif 000009
【図８】
2005207517.tif 000010